(57)【要約】【課題】投写されるテストパターンの視認性を向上させることにより、映像の歪み補正作業を効率化できるようにした投写型映像表示装置を提供すること。【解決手段】本発明に係る投写型映像表示装置は、入力された映像信号を変換して投写映像を表示するための表示映像信号を生成する映像信号処理部と、映像歪み補正用のテストパターン７を投写映像に重ねて表示するためのテストパターン信号を生成するＯＳＤ信号処理部と、出力されたテストパターン信号を出力された映像信号に合成する合成部とを備える。テストパターン７は、パターン線を表示する前景７１とパターン線以外の地の部分を表示する背景７２とから成るとともに、投写映像全体に重なりテストパターン７のみが表示されるように投写される。さらに、前記テストパターン７は、前景７１と背景７２とが異なる表示色の組み合わせから成るように構成されている。【選択図】図４
2013077881.tif 000002
【特許請求の範囲】
【請求項１】
入力された映像信号を変換して投写映像を表示するための表示映像信号を生成する映像信号処理部と、
ユーザにより映像の歪み補正処理が指示された場合に、映像の歪み補正用のテストパターンを投写映像に重ねて表示するためのテストパターン信号を生成するＯＳＤ信号処理部と、
ＯＳＤ信号処理部から出力されたテストパターン信号と、映像信号処理部から出力された映像信号とを合成する合成部とを備えた投写型映像表示装置において、
前記テストパターンは、パターン線を表示する前景とパターン線以外の地の部分を表示する背景とから成るとともに、投写映像全体に重なって表示されることにより、テストパターンのみが表示されるように投写され、さらに、前景と背景とが異なる表示色の組み合わせとなるように構成されている
ことを特徴とする投写型映像表示装置。
【請求項２】
請求項１記載の投写型映像表示装置において、
前景と背景の表示色の組み合わせは、ユーザの指示により、変更できるように構成されている
ことを特徴する投写型映像表示装置。
【請求項３】
請求項２記載の投写型映像表示装置において、
前景と背景の表示色の組み合わせは、ユーザの指示により、前景の表示色と背景の表示色とを個別に変更できるように構成されている
ことを特徴する投写型映像表示装置。
【請求項４】
請求項２又は３記載の投写型映像表示装置において、
前景及び背景の表示色は、予め設定された複数の色の中から両者異なる色を選択できるように構成されている
ことを特徴する投写型映像表示装置。
【請求項５】
請求項２記載の投写型映像表示装置において、
前景と背景の表示色の組み合わせは、予め設定された表示色の組み合わせの中から選択できるように構成されている
ことを特徴する投写型映像表示装置。
【請求項６】
請求項５記載の投写型映像表示装置において、
前景と背景の表示色の組み合わせは、補色関係となるように予め設定されている
ことを特徴する投写型映像表示装置。
【請求項７】
請求項２〜６のいずれか１項に記載の投写型映像表示装置において、
前景と背景の表示色の組み合わせは、ユーザの指示により、色合いの他に明るさをも変更できるように構成されている
ことを特徴する投写型映像表示装置。
【請求項８】
請求項１〜７のいずれか１項に記載の投写型映像表示装置において、
前記テストパターンは、前景が格子状のパターン線に形成されている
ことを特徴する投写型映像表示装置。
【発明の詳細な説明】
【技術分野】
【０００１】
本発明は、投写型映像表示装置に関し、特に、テストパターンを投写することにより映像の歪みを視認できるようにした投写型映像表示装置に関する。
【背景技術】
【０００２】
従来映像データをスクリーン等の投写面に表示するために投写型映像表示装置が使用されている。このような投写型映像表示装置では、スクリーン、壁面などの投写面は投写型映像表示装置の投写レンズの光軸に対して垂直でなければならない。仮に、投写面が投写レンズの光軸に対して傾いている場合は、映像が長方形にならず歪んでしまい、台形やその他の形状になってしまう。
【０００３】
そこで、このような投写型映像表示装置においては、投写型映像表示装置や投写面の設置状態等に起因する映像の歪みを補正するために、テストパターンを投写し、これにより映像の歪みを視認しながら、映像の歪み補正を行うようにした技術が種々提案されている。例えば、特許文献１では格子状のパターン線が、また、特許文献２では、複数の水平ライン及ぶ垂直ラインからなるパターン線が、また、特許文献３では長方形状のパターン線がそれぞれ投写されている。
【先行技術文献】
【特許文献】
【０００４】
【特許文献１】特開２００２−１７６６０１号公報
【特許文献２】特開２００９−２５８３３４号公報
【特許文献３】特開２０１１−６６７３８号公報
【発明の概要】
【発明が解決しようとする課題】
【０００５】
これら投写型映像表示装置では、一般に、電源の投入により投写すべき映像（以下単に投写映像という）が表示されるため、テストパターンはユーザの指示により投写映像に重ねて表示されている。また、これら従来のテストパターンは、パターン線以外の地の部分には投写映像が見える状態となっている。このため、テストパターンのパターン線を視認することが難しいという問題があった。
【０００６】
なお、特許文献３は、このような問題点に着目して、テストパターンのパターン線の表示色を変更できるようにしているが、投写映像がパターン線に混じって表示されるため、パターン線の視認性についてなお改善の余地が残されていた。
【０００７】
本発明は、このような従来技術における問題点を解決するものであって、投写されるテストパターンの視認性を向上させることにより、映像歪み補正作業を効率化できるようにした投写型映像表示装置を提供することを目的とする。
【課題を解決するための手段】
【０００８】
請求項１に記載された発明に係る投写型映像表示装置は、入力された映像信号を変換して投写映像を表示するための表示映像信号を生成する映像信号処理部と、ユーザにより映像の歪み補正処理が指示された場合に、映像の歪み補正用のテストパターンを投写映像に重ねて表示するためのテストパターン信号を生成するＯＳＤ信号処理部と、ＯＳＤ信号処理部から出力されたテストパターン信号と、映像信号処理部から出力された映像信号とを合成する合成部とを備えた投写型映像表示装置において、前記テストパターンは、パターン線を表示する前景とパターン線以外の地の部分を表示する背景とから成るとともに、投写映像全体に重なって表示されることにより、テストパターンのみが表示されるように投写され、さらに、前景と背景とが異なる表示色の組み合わせとなるように構成されていることを特徴とする。
【０００９】
このような構成によれば、ユーザにより映像の歪み補正処理が指示された場合に、投写面にはテストパターンのみが表示される。また、テストパターンは、パターン線を表示する前景とパターン線以外の地の部分を表示する背景とから成るとともに前景と背景とが異なる表示色の組み合わせとなるように構成されている。したがって、前景の表示色と背景の表示色との組み合わせをコントラストが明確となるように構成することにより、テストパターンの視認性が向上する。また、テストパターンの視認性が向上することにより、映像歪み補正作業を効率化することができる。
【００１０】
請求項２記載の発明は、請求項１記載の投写型映像表示装置において、前景と背景の表示色の組み合わせは、ユーザの指示により、変更できるように構成されていることを特徴とする。
【００１１】
このような構成によれば、ユーザは、前景と投写面との識別が容易となるように、前景の表示色と背景の表示色との組み合わせを変更することができる。また、このように変更することにより、テストパターンの視認性を向上させることができる。
【００１２】
請求項３記載の発明は、請求項２記載の投写型映像表示装置において、前景と背景の表示色の組み合わせは、ユーザの指示により、前景の表示色と背景の表示色とを個別に変更できるように構成されていることを特徴とする。
【００１３】
このような構成によれば、投写面の色を加味しながらテストパターンの前景及び背景の表示色をそれぞれ個別に変更することができるので、ユーザが、自己の意思に従い見やすいと思う色の組み合わせに変更して最適化することができる。これにより、テストパターンの視認性を向上させることができる。
【００１４】
請求項４記載の発明は、請求項２又は３記載の投写型映像表示装置において、前景及び背景の表示色は、予め設定された色の中から両者異なる色を選択できるように構成されていることを特徴とする。
【００１５】
このような構成によれば、前景及び背景の表示色の選択範囲が予め設定された表示色に限定されているため、ユーザによる前景及び背景の表示色の選択が簡便化される。また、このように前景及び背景の表示色の選択範囲が限定されていても、前景及び背景の表示色を代表的な表示色の中から選択するようにすれば、前景と背景のコントラストを大きくすることができ、テストパターンの視認性を向上させることができる。
【００１６】
請求項５記載の発明は、請求項２記載の投写型映像表示装置において、前景と背景の表示色の組み合わせは、予め設定された表示色の組み合わせの中から選択できるように構成されていることを特徴とする。
【００１７】
このような構成によれば、予め投写面の色を想定し、想定される色の投写面に対し、テストパターンにおける前景と背景の好ましい表示色の組み合わせを設定しておくと、ユーザによる前景及び背景の表示色の選択を簡便化することができる。
【００１８】
請求項６記載の発明は、請求項５記載の投写型映像表示装置において、前景と背景の表示色の組み合わせは、補色関係となるように予め設定されていることを特徴とする。
このような構成によれば、前景と背景との区別がより明確となる。これにより、テストパターンの視認性を向上させることができる。
【００１９】
請求項７記載の発明は、請求項２〜６のいずれか１項に記載の投写型映像表示装置において、前景と背景の表示色の組み合わせは、ユーザの指示により、色合いの他に明るさをも変更できるように構成されていることを特徴とする。
【００２０】
このような構成によれば、色合い（すなわち色相）の他に明るさ（すなわち明度）を変更することにより、ユーザにより選択される表示色の幅を多様化することができる。これにより、ユーザの好みを発揮させながら、テストパターンの視認性をさせることができる。
【００２１】
請求項８記載の発明は、請求項１〜７のいずれか１項に記載の投写型映像表示装置において、前記テストパターンは、前景が格子状のパターン線に形成されていることを特徴とする。
【００２２】
このような構成によれば、周囲のみならずその内方にも垂直方向と水平方向のパターン線があるので、これらパターン線の傾きにより、又は、格子状のパターン線間に形成される長方形の形状により、垂直方向のみならず他の方向の台形歪みをも容易に視認することができる。また、このような格子状のパターンにより、台形歪のみならず、投写面の部分的な歪みなどによる部分的な映像の歪みをも視認することができる。
【発明の効果】
【００２３】
本発明に係る投写型映像表示装置によれば、ユーザにより映像の歪み補正処理が指示された場合に、投写面にはテストパターンのみが表示される。また、テストパターンは、パターン線を表示する前景とパターン線以外の地の部分を表示する背景とが異なる表示色の組み合わせとなるように構成されているので、テストパターンの視認性が向上し、惹いては映像歪み補正作業を効率化することができる。
【図面の簡単な説明】
【００２４】
【図１】本発明の実施の形態に係る投写型映像表示装置の概略構成を示す機能ブロック図である。
【図２】同投写型映像表示装置におけるテストパターンの一例である。
【図３】同テストパターンの仕様を設定するためのメニューの一例である。
【図４】同投写型映像表示装置においてメニューを重ね表示したテストパターンの一例である。
【図５】同投写型映像表示装置におけるリモコンの平面図である。
【図６】同投写型映像表示装置における台形歪み補正作業の手順を説明するフローチャートである。
【発明を実施するための形態】
【００２５】
以下、本発明の実施の形態１に係る投写型映像表示装置について図面を参照しながら説明する。
本実施の形態に係る投写型映像表示装置は、３板式液晶投写型映像表示装置である。この３板式液晶投写型映像表示装置は、本体１の内部に光学系機器２と、映像信号を生成する信号処理系３と、リモコン４ａを備えた操作部４等を備えたものであって、リモコン４ａにより操作され、光学系機器２から出射される映像光をスクリーン、壁面等の投写面６に投写するようにしたものである。
【００２６】
本実施の形態に係る投写型映像表示装置は、光学系機器２として、光源ランプ２１、液晶パネル２２、投写レンズ２３等を備えている。
光源ランプ２１は、ランプ用電源部（図示せず）から高圧の電力供給を受けて点灯する放電型ランプが発光体として使用されている。そして、発光体からの照明光は、リフレクタによって平行光となって、発行体の軸方向に出射され、分離光学系（図示せず）により赤色光（以下「Ｒ光」という）、緑色光（以下「Ｇ光」という）及び青色光（以下「Ｂ光」という）に分離されて液晶パネル２２へ供給される。
【００２７】
液晶パネル２２は、光変調する光変調素子として機能するものであって、具体的には図示しないが入射側偏光板、光学補償板、出射側偏光板などと組み合わされて液晶変調装置を構成する。また、液晶パネル２２は、Ｒ光用、Ｇ光用及びＢ光用のものから成り、分離光学系（図示せず）で分離された光源ランプ２１から出射されたＲ光、Ｇ光及びＢ光がそれぞれ各色光用の液晶パネル２２に入射される。各液晶パネル２２は、信号処理系３から入力される映像信号に応じた回転角を持ち、入射される光を光変調する。そして、液晶パネル２２によって変調されたＲ光、Ｇ光及びＢ光は、ダイクロイックプリズム（図示せず）によって色合成された後に、投写レンズ２３によって投写面６に拡大投写される。
【００２８】
投写レンズ２３は、投写光を投写面６に形成されるレンズ群と、これらレンズ群の一部を光軸方向に変化させて、投写映像のズーム状態及びフォーカス状態を調整するアクチュエータを備えている。
【００２９】
次に、映像信号を生成する信号処理系３について説明する。
信号処理系３は、図１のブロック図に示すように、制御部３１、記憶部３２、映像信号入力部３３、映像信号処理部３４、テストパターン信号を生成するＯＳＤ信号処理部３５、合成部３６、映像歪み補正部３７、液晶パネル駆動部３８、光源ランプ駆動部３９等を備えている。
【００３０】
制御部３１は、記憶部３２、映像信号処理部３４、ＯＳＤ信号処理部３５、光源ランプ駆動部３９、操作部４と接続されている。
制御部３１は、ＣＰＵ（Central Processing Unit）や各種データ等の一次記憶に用いられるＲＡＭ（Random Access Memory）等を備え、記憶部３２に記憶された制御プログラム等を実行して、プロジェクタの動作を総括制御する。このために、制御部３１は、それ自身に接続されている各部から入力される各種データを演算するとともに、演算結果を各部に出力する。また、制御部３１は、操作部４の操作に応じて手動歪み補正する際に、ユーザが操作するキーの操作量に応じて台形補正するように映像歪み補正部３７を制御する。
【００３１】
記憶部３２は、マスクＲＯＭ（Read Only Memory）や、フラッシュメモリ等の不揮発メモリにより構成されている。記憶部３２には、制御部３１が実行する制御プログラムや、映像歪み補正する際に使用されるＯＳＤ映像データを記憶するとともに、投写型映像表示装置の各種設定値等を記憶している。さらに、記憶部３２には、投写光軸の水平方向に対する傾斜角度に応じた台形歪みの補正に必要な情報が記憶されている。
【００３２】
映像信号入力部３３には、入力端子３３ａを介し、各種映像再生機器からの映像信号が入力される。映像信号入力部３３は、アナログＰＣ、デジタルＰＣ、ビデオ、テレビなどの各種映像再生機器からの投写映像信号に対応し得るようにアナログＩ／Ｆ、デジタルＩ／Ｆ、ビデオＩ／Ｆ、などの入力インターフェースを備えている。そして、映像信号入力部３３に入力された映像信号は、Ａ／Ｄ変換、デコード等の適宜の処理が行われてデジタル信号に変換されて映像信号処理部３４へ出力される。
【００３３】
映像信号処理部３４は、映像信号入力部３３から出力された映像信号を、１フレーム毎に付属のフレームメモリ（図示せず）に書き込むとともに、フレームメモリーに記憶された映像を読み出す機能を有する。そして、映像信号処理部３４は、制御部３１の指示に基づき、入力された映像信号に対しスケーリング処理、ガンマ補正、輝度補正などの一般的な映像処理を行い、このように処理された映像信号を投写映像用の映像信号として生成して合成部３６へ出力する。
【００３４】
ＯＳＤ信号処理部３５は、制御部３１の指示に基づいて、メニュー映像やメッセージ等のＯＳＤ（オンスクリーンディスプレイ）映像を、投写映像上に重畳して表示するための処理を行う。ＯＳＤ信号処理部３５は、ユーザの操作部４からＯＳＤ映像表示の指示に従い、必要なＯＳＤ映像情報を記憶部３２から読み出し、ＯＳＤ映像信号を生成して合成部３６へ出力する。この実施の形態においては、ＯＳＤ映像信号として、映像の台形歪み補正を行うためのテストパターン７（図２参照）及びテストパターン７の仕様を確定するメニュー８（図３参照）を投写映像に重ねて表示するためのテストパターン信号及びメニュー信号などがこれに含まれている（図４参照）。
【００３５】
合成部３６は、映像信号処理部３４から出力された投写用の映像信号に対し、ＯＳＤ信号処理部３５から出力されたＯＳＤ映像信号を合成し、合成映像信号を映像データとして生成し、これを映像歪み補正部３７へ出力する。前記テストパターン７は、投写映像の大きさに合わせて表示されるように調整されているため、テストパターン７が表示されている間は主の映像である投写映像はテストパターン７の背部に隠されるように構成されている。なお、ＯＳＤ映像を表示しない場合は、このような合成処理が行われず、映像信号処理部３４から出力された投写用の映像信号がそのまま液晶パネル駆動部３８へ出力される。
【００３６】
映像歪み補正部３７は、スクリーン等の投写面６に対して投写型映像表示装置から射出される投写光が傾いた状態で投写される場合に生じる台形歪みを補正するものであって、操作部４を介し制御部３１に与えられたユーザからの補正指示量に応じて、合成部３６から出力された合成映像信号を調整して補正映像信号を生成する。具体的には、ユーザからの補正指示量は、投写面６上に表示されているテストパターン７における四隅の各点の位置を、ユーザが操作部４を操作して変位させることにより得られるものである。したがって、映像歪み補正部３７は、制御部３１の制御に従ってこの補正指示量に応じ液晶パネル２２に歪んだ映像を形成させて、投写映像の歪みを補正する。このように補正された映像信号は、映像歪み補正部３７から液晶パネル駆動部３８へ出力される。なお、台形歪み補正が行われない場合は、映像信号処理部３４から出力された映像データがそのまま液晶パネル駆動部３８へ出力される。
【００３７】
液晶パネル駆動部３８は、映像歪み補正部３７から出力された映像信号、すなわち、信号処理系３から供給される映像信号を、Ｒ光用、Ｇ光用及びＢ光用の液晶パネル２２を駆動することのできる信号形態に変換する。また、この液晶パネル駆動部３８においては、Ｒ光用、Ｇ光用及びＢ光用の液晶パネル２２を駆動するための駆動パルスが同時に生成される。
【００３８】
光源ランプ駆動部３９は、電源部（図示せず）から入力された直流の電圧を光源ランプ２１を駆動するのに適した波形の電圧に変換するものであって、光源ランプ２１の始動時あるいは定常動作時などに、それぞれに適した波形の電圧を出力するものであり、光源ランプ電源部とも言われるものである。
【００３９】
次に、前述のＯＳＤ信号処理部３５により生成されるテストパターン７の構成及びテストパターン７を設定するためのメニュー８の例について説明する。
テストパターン７は、図２に示すように、投写映像一杯に広がるように形成されたものであって、外周を含み縦方向及び横方向にそれぞれ９本の直線を備えた格子状のパターン線が描かれている。このテストパターン７においては、このパターン線を前景７１といい、このパターン線以外の地の部分、換言するとパターン線を構成する線間部分を背景７２と称する。
【００４０】
そして、本実施の形態において、テストパターン７は、テストパターン７の視認性を向上させるために、投写面６の色との識別を考えながら前景７１と背景７２とが異なる表示色の組み合わせにすることができるように構成されている。具体的には、この実施の形態においては、前景７１及び背景７２は何れも代表的な色である白、黒、赤、緑、青の基本色から適切なものを選択できるように構成されている。
【００４１】
例えば、投写面６が白色の壁面、或いはホワイトボードのような場合は、パターン線である前景７１の表示色として視覚の感度が高い緑色を選択し、背景７２の表示色を黒色又は緑色とすると、格子パターンの視認性が良好になる。また、投写面６が緑色のボードなどの場合は、パターン線である前景７１の表示色として白色を選択し、背景７２の表示色を黒色又は緑色とすると、格子パターンが明るく見えるため視認性が良好になる。
【００４２】
そして、このようなパターンの仕様を設定するためのメニュー８は、例えば、図３のように構成する。
この図から分かるように、メニュー８は、ユーザが選択できる仕様項目を左欄に記載し、その右欄において、ユーザが選択した内容を表示するようにしたものである。この選択は、投写画面を見ながらユーザが操作部４を操作して選べるように構成されている。選択できる仕様項目は、前景７１の表示色である前景色、背景７２の表示色である背景色、及び、前景色の明るさ、すなわち前景色については色相以外に明度をも選択できるようにしたものである。なお、黒色については基本的に明るさを変更できないものとしている。また、メニュー画面の文字の表示色及び地の表示色は、テストパターン７の表示色と異なる表示色となるように予め設定されている。
【００４３】
また、このメニュー８は、テストパターン７が表示された状態でメニュー表示が選ばれたときには、図４に示すように、テストパターン７に重畳されて投写面６に表示される。このとき、メニュー画面の文字の表示色及び地の表示色は、テストパターン７と区別して見やすくなるように予め自動的に選択される。そして、この例においては、前景７１の表示色である前景色として白が選択され、背景７２の表示色である背景色として黒が選択され、明るさは１００パーセントが選択されている。したがって、前景色である白の明度は１００パーセントであることを示している。また、メニュー画面の表示色は、例えば、薄い空色の地に対し濃紺の文字及び線が描かれている。
【００４４】
次に、操作部４について説明する。
操作部４は、ユーザが機器を操作するために設けられたものであって、本体１に取り付けられている操作キーによる操作とリモコン４ａによる操作とを可能としている。このために、操作部４は、リモコン４ａと、リモコン４ａからの操作信号を受信して制御部３１へ伝送する操作信号受信部４ｂと、リモコン４ａと同様の操作キーを備えている、本体１に形成された操作パネル４ｃとから形成されている。なお、このように、リモコン４ａと操作パネル４ｃとは、基本的に同様の操作キーを備えたものであるので、以下、リモコン４ａの構成についてのみ、図５に基づきさらに説明する。
【００４５】
リモコン４ａは、電源のオンオフを切り替えるための電源キー４１を備えている。また、リモコン４ａは、テストパターン７の表示に係わる操作キーとして、テストパターン７の表示を指示するＴＰキー４２、テストパターン７の仕様を設定するためのメニューキー４３、メニュー内容を選択する選択キー４４、選択された内容を確定する設定キー４５、設定された内容を取り消すための取消キー４６を備えている。また、リモコン４ａは、メニュー映像における項目の選択等に用いられる方向キー４７を備えている。
【００４６】
方向キー４７は、上下左右に対応する上方向キー４７ａ、下方向キー４７ｂ、左方向キー４７ｃ、右方向キー４７ｄを備えている。また、リモコン４ａは、映像歪み補正に係る操作キーとして、歪み補正の開始を指示する歪補正キー５１、最外側のパターン線により描かれている左上隅の点を保持する上左キー５２、同上右隅の点を保持する上右キー５３、同下左隅の点を保持する下左キー５４、同下右隅の点を保持する下右キー５５を備えている。また、四隅の各点は、ユーザが方向キー４７を操作することにより上下左右に変位され、この変位量がユーザの操作に応じた補正指示量として制御部３１に送信される。そして、映像歪み補正部３７において、制御部３１の制御によりユーザからの補正指示量に基づく投写映像の歪補正が行われる。また、リモコン４ａは、テストパターン７の四隅の各点についての変位が完了したときに、補正作業の完了を指示する完了キー５６を備えている。
【００４７】
次に以上のように構成された、本実施の形態に係る投写型映像表示装置の動作について、図６を参照しながら説明する。なお、以下の動作説明は、リモコン４ａを用いて行う投写映像の台形歪み補正の操作手順についてのものであるが、操作パネル４ｃの操作キーを使って行う操作も基本的にはこれと同様であるので、これについては説明を省略する。
【００４８】
本実施の形態に係る投写映像表示装置において、電源キー４１が投入されると、光源ランプ２１が点灯され投写映像が投写面６に投写される。この状態の下、リモコン４ａの操作により図６に示すような手順に従い、テストパターン７を表示しながら映像歪み補正作業、この場合は投写映像の台形歪補正、を行うことができる。
【００４９】
テストパターン７を表示しながらの台形歪作業を行うときは、先ずリモコン４ａのＴＰキー４２を押下することにより、テストパターン７が表示される（ステップＳ１）。
このときのテストパターン７は、投写映像と同じ大きさに表示される。また、このテストパターン７は、パターン線である前景７１と、パターン線以外の地の部分である背景７２とにより投写映像の全面が見えない状態となっている。また、このとき表示されるテストパターン７は、前回表示時の前景色（すなわち、前景７１の表示色）、背景色（すなわち、背景７２の表示色）、及び明るさ（すなわち、明度）により表示される。
【００５０】
この状態において、ユーザが表示されたテストパターン７の表示色及び明度を変更してテストパターン７の視認性を高めたい思うときは、ユーザがリモコン４ａのメニューキー４３を押下すると、図４に示すようにテストパターン７に重なってメニュー８が表示される（ステップＳ２）。
【００５１】
ここで、ユーザは、表示されたメニュー８に従い、前景７１及び背景７２の表示色や明度を変更して設定する。
前景７１の表示色を選定するときは、方向キー４７により前景色を選ぶ。そして選択キー４４を押下すると、押下する毎に選択可能な表示色の文字が順次表示される。選択可能な表示色は、この実施の形態の場合は、白、黒、赤、緑、青である。選択したい表示色の文字が表示されたときに設定キー４５を押下すると、その色に設定される。背景色についても同様に設定することができる。また、前景色の明度を設定したいときは、方向キー４７により前景色明るさの欄を選択し、選択キー４４を押下することにより、１００％、９０％、８０％、７０％、６０％、…と順次１０％ずつ変化する明度が順次表示される。そして、好みの明度のところで設定キー４５を押下することにより、好みの明度を選択することができる。
【００５２】
以上のような操作により、この例においては図４に図示されるように、前景色が白、背景色が黒、前景色の明度が１００％と設定されている。
なお、一旦設定された色や明るさを変更したいときは、方向キー４７により、変更したい欄を選択し、取消キー４６を押下すると当初表示の内容に戻る。そこで、改めて選択キー４４を押下することにより、再度設定作業を行うことができる。
【００５３】
以上により、テストパターン７の表示色及び明度が設定されたところで、歪補正キー５１が押下されると、メニュー８が消去され台形歪を補正する作業を実行することができる状態となるとともに（ステップＳ４）、メニュー画面が消去される（ステップＳ５）。
【００５４】
投写映像の台形歪補正作業は、テストパターン７の外周のパターン線により形成される四隅の各点を移動させることにより行われる。
この作業を行うときは、テストパターン７の四隅の各点のうち変位させる隅の点を選択して保持する。この保持は、上左キー５２、上右キー５３、下左キー５４、及び下右キー５５の中から選択する四隅の各点に対応するものを押下することにより行われる。
【００５５】
テストパターン７の保持された四隅の各点は、方向キー４７により変位可能な状態となる。そして、テストパターン７の保持された四隅の各点は、方向キー４７の上方向キー４７ａ、下方向キー４７ｂ、左方向キー４７ｃ、又は右方向キー４７ｄが押下されることにより、押下されている間その方向へ移動され、押下が中止された位置でその移動が停止される。このような操作により、テストパターン７の四隅の各点を適宜の位置へ変位させることができる。また、この操作に基づく変位量が、ユーザの操作に応じた変位量として、操作部４から制御部３１に指示される。そして、映像歪み補正部３７においてこの変位量に基づく補正が行われる（ステップＳ６）。
【００５６】
このようにして、表示されたテストパターン７の四隅の各点の変位が完了したときにユーザが完了キー５６を押下すると、映像歪み補正作業が完了となり（ステップＳ７）、テストパターン７が消去される（ステップＳ８）。これにより、一連の映像歪み補正作業が完了する。そして、テストパターン７の消去に伴い、投写面６には歪補正後の投写映像が表示される。
【００５７】
本実施の形態に係る投写型映像表示装置は、以上のように構成されているので、次のような効果を奏することができる。
（１）ユーザにより映像の歪み補正処理が指示された場合に、投写面６にはテストパターン７のみが表示される。また、テストパターン７は、パターン線を表示する前景７１とパターン線以外の地の部分を表示する背景７２とから成るとともに前景７１と背景７２とが異なる表示色の組み合わせから成るように構成されている。したがって、前景７１の表示色と背景７２の表示色との組み合わせをコントラストが明確となるような色で構成することにより、テストパターン７の視認性が向上する。また、テストパターン７の視認性が向上することにより、映像歪み補正作業を効率化することができる。
【００５８】
（２）ユーザは、前景７１と背景７２の表示色の組み合わせを変更することができるので、前景７１と投写面６との識別が容易となるように、前景７１の表示色と背景７２の表示色との組み合わせを変更することができ、これによりテストパターン７の視認性を向上させることができる。
【００５９】
（３）ユーザは、投写面６の色を加味しながらテストパターン７の前景７１及び背景７２の表示色をそれぞれ個別に選択することができるので、ユーザの意思に従いユーザが見やすいと思う色の組み合わせを広い選択範囲の中から変更することができる。これにより、テストパターン７の視認性を向上させることができる。
【００６０】
（４）ユーザは、前景７１及び背景７２の表示色を、予め設定された表示色、すなわち、この実施の形態においては白色、黒色、赤色、緑色及び青色の中から選択できるように構成されている。このように選択できる表示色が代表的なものに限定されているため、ユーザによる表示色の選択が簡便化される。また、このように選択できる表示色が限定されていても、代表的な表示色を選択することができるように構成されているので、テストパターン７の視認性を向上させることができる。
【００６１】
（５）前景７１と背景７２の異なる表示色の組み合わせは、ユーザの選択により、色合い（すなわち色相）の他に明度（すなわち明度）をも変更できるように構成されているので、表示色の選択範囲を拡大することができる。
【００６２】
（６）テストパターン７は、前景７１が格子状のパターンに形成されているので、周囲のみならずその内方にも垂直方向と水平方向のパターン線が形成されている。したがって、これらパターン線の傾きにより、又は、格子状のパターン線の内部に形成される各長方形の形状により、垂直方向のみならず他の方向の台形歪みを容易に視認することができる。また、このような格子状のパターンにより、台形歪の視認のみならず、投写面６の部分的な歪みなどによる部分的な映像の歪みをも視認することができる。
【００６３】
（変形例）
本発明は、上記実施の形態において以下のように変更することもできる。
・上記実施の形態においては、前景７１及び背景７２の表示色の選択範囲を簡便化するために、前景７１及び背景７２の表示色として選択できる表示色を何れも代表的な色である白、黒、赤、緑、青の基本色に限定している。しかし、この代表的な色を拡大してもよい。例えば、白、黒、灰色の３種の無彩色と、赤、黄赤、黄、黄緑、緑。青緑、青、青紫、紫、赤紫の１０種の有彩色とから選べるようにしてもよい。
【００６４】
・また、これら選択できる表示色を投写面６の色を想定し、想定できる色の投写面６に適合する前景７１及び背景７２の表示色の組み合わせを予め設定登録しておいてもよい。そして、テストパターン７の表示の際、ユーザはこの登録されている表示色の組み合わせの中から前景７１及び背景７２の表示色を設定できるようにしてもよい。このようにすれば、ユーザは投写面６の色に適応するテストパターン７の表示色を簡単に設定することができる。
【００６５】
・また、この場合の表示色の組み合わせは、前景７１の表示色と背景７２の表示色とが補色関係になるように設定されていることが好ましい。このようにすれば、前景７１の表示色と背景７２の表示色とのコントラストが大きくなりより視認性が向上する。
【００６６】
・また、上記実施の形態においては、前景７１及び背景７２の表示色の選択範囲を簡便化するために、選択できる前景７１及び背景７２の表示色を代表的な色に限定しているが、選択できる色を多様化するために、投写型映像表示装置として表示可能な色全てに拡大してもよい。なお、この場合は、文字で色を表現することが難しいので、実際の色見本を表示させるようにし、この色見本を見ながら選択できるようにしてもよい。
【００６７】
・また、上記実施の形態においては、前景７１の表示色のみについて明度を変更できるように構成されているが、前景７１及び背景７２ともに個別にそれぞれの明度を変更できるように形成してもよい。なお、このようにすれば、前景７１及び背景７２の表示色の選択範囲をより多様化することができる。
【００６８】
・また、前記実施の形態においては、テストパターン７は、長方形格子状のパターン線を備えたものに構成されているが、他の形状とすることも可能である。なお、本発明は台形歪みを判別するものであるので、水平及び垂直の線から構成されるものが好ましい。例えば、正方形格子状パターンや、台形歪補正用のパターンとしてよく用いられている一重又は複数重の長方形パターンとしてもよい。
【００６９】
・本発明は種々の投写型映像表示装置に適用できる。例えば、先の実施の形態においては、３板式液晶プロジェクタを示したが、他の映像光生成系を備えた投写型映像表示装置や、ＤＬＰ（Digital Light Processingの略であって、テキサス・インスツルメント（TI社）の登録商標）方式のプロジェクタなどに本発明を適用することもできる。
【符号の説明】
【００７０】
７…テストパターン、３４…映像信号処理部、３５…ＯＳＤ信号処理部、３６…合成部、７１…前景、７２…背景。
【図１】
2013077881.tif 000003
【図２】
2013077881.tif 000004
【図３】
2013077881.tif 000005
【図４】
2013077881.tif 000006
【図５】
2013077881.tif 000007
【図６】
2013077881.tif 000008